【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
無線通信の方法であって、前記方法は、
アクティブ通信モード衝突回避プロシージャの一部として、遠隔近接場通信、ＮＦＣ、デバイスによって生成されたフィールドの存在に関するオペレーティングボリュームを感知することと、
ＮＦＣデバイスの前記オペレーティングボリュームの範囲内で感知されるフィールドがないと決定することと、
前記ＮＦＣデバイスに関するオペレーティングフィールドをオン状態に切り替える一環として、変調されないキャリアを起動することと、
衝突回避の閾値の時間の期間中、前記変調されないキャリアを保持すること、
を備える。
【請求項２】
請求項１に記載の方法であって、前記方法は、
前記衝突回避の閾値の時間の期間が経過したという決定に基づいて、前記アクティブ通信モード衝突回避プロシージャを終了すること、をさらに備える。
【請求項３】
請求項１に記載の方法であって、前記衝突回避の閾値は、前記変調されないキャリアのスイッチをオンすることとコマンドの送信を開始することとの間の期間である、
前記方法。
【請求項４】
請求項１に記載の方法であって、前記衝突回避の閾値は、拡張されたＮＦＣデジタルプロトコル仕様の一部として定義されたアクティブ無線周波数保護時間、ＴＡＲＦＧ、である、
前記方法。
【請求項５】
コンピュータ・プログラム・プロダクトであって、前記コンピュータ・プログラム・プロダクトは、
アクティブ通信モード衝突回避プロシージャの一部として、遠隔近接場通信（ＮＦＣ）デバイスによって生成されたフィールドの存在に関するオペレーティングボリュームを感知することと、
ＮＦＣデバイスの前記オペレーティングボリュームの範囲内で感知されるフィールドがないと決定することと、
前記ＮＦＣデバイスに関するオペレーティングフィールドをオン状態に切り替える一部として、変調されないキャリアを起動することと、
衝突回避の閾値の時間の期間中、前記変調されないキャリアを保持することと、
のためのコードを備えるコンピュータ可読媒体、を備える。
【請求項６】
請求項５に記載のコンピュータ・プログラム・プロダクトであって、前記コンピュータ可読媒体は、
前記衝突回避の閾値の時間の期間が経過したという決定に基づいて、前記アクティブ通信モード衝突回避プロシージャを終了すること、
のためのコードをさらに備える。
【請求項７】
請求項５に記載のコンピュータ・プログラム・プロダクトであって、前記衝突回避の閾値は、前記変調されないキャリアのスイッチをオンすることとコマンドの送信を開始することとの間の期間である、
前記コンピュータ・プログラム・プロダクト。
【請求項８】
請求項５に記載のコンピュータ・プログラム・プロダクトであって、前記衝突回避の閾値は、拡張されたＮＦＣデジタルプロトコル仕様の一部として定義されたアクティブ無線周波数保護時間（ＴＡＲＦＧ）である、
前記コンピュータ・プログラム・プロダクト。
【請求項９】
通信のための装置であって、前記装置は、
アクティブ通信モード衝突回避プロシージャの一部として、遠隔近接場通信、ＮＦＣ、デバイスによって生成されたフィールドの存在に関するオペレーティングボリュームを感知するための手段と、
ＮＦＣデバイスの前記オペレーティングボリュームの範囲内で感知されるフィールドがないと決定するための手段と、
前記ＮＦＣデバイスに関するオペレーティングフィールドをオン状態に切り替える一部として、変調されないキャリアを起動するための手段と、
衝突回避の閾値の時間の期間中、前記変調されないキャリアを保持するための手段と、
を備える。
【請求項１０】
請求項９に記載の装置であって、前記装置は、
前記衝突回避の閾値の時間の期間が経過したという決定に基づいて、前記アクティブ通信モード衝突回避プロシージャを終了するための手段、をさらに備える。
【請求項１１】
請求項９に記載の装置であって、前記衝突回避の時間の閾値は、前記変調されないキャリアのスイッチをオンすることとコマンドの送信を開始することとの間の期間である、
前記装置。
【請求項１２】
請求項９に記載の装置であって、前記衝突回避の閾値は、拡張されたＮＦＣデジタルプロトコル仕様の一部として定義されたアクティブ無線周波数保護時間、ＴＡＲＦＧ、である、
前記装置。
【手続補正２】
【補正対象書類名】明細書
【補正対象項目名】００９２
【補正方法】変更
【補正の内容】
【００９２】
[00100]上記の開示は、例示的な観点および／または観点を論じているが、種々の変更および修正は、添付の請求項によって定義されように、記載される観点および／または観点の範囲から逸脱することなくここで行われ得ることに留意すべきである。さらに、記載される観点および／または観点の要素は、単数形で記載または請求され得るが、単数形への限定が明白に述べられていない限り、複数形が考えられる。さらに、任意の観点および／または観点の全てまたは一部は、特に明記されない限り、任意のその他の観点および／または観点の全てまたは一部とともに利用され得る。
以下に、本願出願の当初の特許請求の範囲に記載された発明を付記する。
［Ｃ１］  無線通信の方法であって、前記方法は、
アクティブ通信モード衝突回避プロシージャの一部として、遠隔近接場通信（ＮＦＣ）デバイスによって生成されたフィールドの存在に関するオペレーティングボリュームを感知することと、
ＮＦＣデバイスの前記オペレーティングボリュームの範囲内で感知されるフィールドがないと決定することと、
前記ＮＦＣデバイスに関するオペレーティングフィールドをオン状態に切り替える一環として、変調されないキャリアを起動することと、
衝突回避の閾値の時間の期間中、前記変調されないキャリアを保持すること、
を備える。
［Ｃ２］  Ｃ１に記載の方法であって、前記方法は、
前記衝突回避の閾値の時間の期間が経過したという決定に基づいて、前記アクティブ通信モード衝突回避プロシージャを終了すること、をさらに備える。
［Ｃ３］  Ｃ１に記載の方法であって、前記衝突回避の閾値は、前記変調されないキャリアのスイッチをオンすることとコマンドの送信を開始することとの間の期間である、
前記方法。
［Ｃ４］  Ｃ１に記載の方法であって、前記衝突回避の閾値は、拡張されたＮＦＣデジタルプロトコル仕様の一部として定義されたアクティブ無線周波数保護時間（ＴＡＲＦＧ）である、
前記方法。
［Ｃ５］  無線通信の方法であって、前記方法は、
ＮＦＣデバイスのオペレーティングボリュームの範囲内に、遠隔近接場通信（ＮＦＣ）デバイスによって生成されたフィールドを検出することと、
アクティブ通信モードを用いて、前記遠隔ＮＦＣデバイスとのピア通信リンクを確立することと、
前記遠隔ＮＦＣデバイスとの前記ピア通信リンクが切断されるべきであると決定することと、
遠隔ＮＦＣデバイスが前記ピア通信リンクを保持している間切断されていたことを示す切断リクエストメッセージを前記遠隔ＮＦＣデバイスに送信すること、
を備える。
［Ｃ６］  Ｃ５に記載の方法であって、前記方法は、
前記遠隔ＮＦＣデバイスとの前記ピア通信リンクは、再開されるべきであると決定することと、
前記ピア通信リンクを再開するために、ウェイクアップリクエストメッセージを前記遠隔ＮＦＣデバイスに送信すること、
をさらに備える。
［Ｃ７］  Ｃ６に記載の方法であって、前記ＮＦＣデバイスおよび前記遠隔ＮＦＣデバイスは、ＮＦＣタイプのＦ  ＲＦ技術を用いるように構成され、ここにおいて、前記遠隔ＮＦＣデバイスとの前記ピア通信リンクは再開されるべきであると決定することは、
前記ピア通信リンクを介してメッセージを送信する前に、衝突解消を実行すること、
をさらに備える。
［Ｃ８］  Ｃ７に記載の方法であって、前記衝突解消は、最初の衝突解消プロシージャおよび次の衝突解消プロシージャのうちの少なくとも１つを含む、
前記方法。
［Ｃ９］  Ｃ５に記載の方法であって、前記遠隔ＮＦＣデバイスと前記ピア通信リンクを確立することは、
無線周波数（ＲＦ）フィールドをオフすることおよび第１の時間の期間待つことと、
前記ＲＦフィールドをオンすることおよび第２の時間の期間待つことと、
最初のＲＦ衝突回避プロセスを実行することと、
をさらに備える。
［Ｃ１０］  Ｃ９に記載の方法であって、前記第１の時間の期間は、拡張されたＮＦＣデジタルプロトコル仕様の一部として定義されたアクティブ通信モジュールＲＦオフタイム（ＴＡＣＭ，ＲＦｏｆｆ）であり、および前記第２の時間の期間は、前記拡張されたＮＦＣデジタルプロトコル仕様の一環として定義されたアクティブ通信モジュールＲＦオンタイム（ＴＡＣＭ，ＲＦｏｆｆ）である、
前記方法。
［Ｃ１１］  Ｃ５に記載の方法であって、前記アクティブ通信モードは、前記ＮＦＣデバイスと前記遠隔ＮＦＣデバイスに、前記ピア通信リンクを保持することと関連する１つまたは複数の電力消費の負担のバランスをとることを許可する、
前記方法。
［Ｃ１２］  Ｃ５に記載の方法であって、前記負担のうちの１つは、前記ピア通信リンクの一部としてＲＦキャリアを変調するための負担を含む、
前記方法。
［Ｃ１３］  通信の方法であって、前記方法は、
ＮＦＣデバイスとの通信リンク毎のアクティブ通信モードを確立した遠隔近接場通信（ＮＦＣ）デバイスから切断リクエストメッセージを受信することと、
ピア通信リンクを保持する間、前記ピア通信リンクをスリープ状態に変更すること、ここにおいて、前記スリープ状態は、前記ＮＦＣデバイスと前記 遠隔ＮＦＣデバイスの間の通信を禁止する、と、
を備える。
［Ｃ１４］  Ｃ１３に記載の方法であって、前記方法は、
前記遠隔ＮＦＣデバイスから第１のウェイクアップリクエストメッセージを受信することと、前記ピア通信リンクをアウェイク状態に変更すること、
をさらに備える。
［Ｃ１５］  Ｃ１４に記載の方法であって、前記方法は、
ウェイクアップ応答を前記遠隔ＮＦＣデバイスに送信すること、
をさらに備える。
［Ｃ１６］  Ｃ１４に記載の方法であって、前記方法は、
前記第１のウェイクアップリクエストメッセージの受信後に受信されたどんなウェイクアップリクエストメッセージをも無視すること、
をさらに備える。
［Ｃ１７］  Ｃ１３に記載の方法であって、前記方法は、
前記スリープ状態にある間、前記遠隔ＮＦＣデバイスから、１つまた複数のメッセージを受信することと、
前記受信された１つまた複数のメッセージのどれもがウェイクアップメッセージではないと決定することと、
前記ＮＦＣデバイスが、前記１つまた複数の受信されたメッセージのうちのいずれかを処理することを禁止すること、
をさらに備える。
［Ｃ１８］  Ｃ１３に記載の方法であって、前記アクティブ通信モードは、前記ＮＦＣデバイスと前記遠隔ＮＦＣデバイスに、前記ピア通信リンクを保持することと関連する１つまた複数の電力消費の負担のバランスをとることを許可する、
前記方法。
［Ｃ１９］  Ｃ１８に記載の方法であって、前記負担のうちの１つは、前記ピア通信リンクの一部としてＲＦキャリアを変調するための負担を含む、
前記方法。
［Ｃ２０］  コンピュータ・プログラム・プロダクトであって、前記コンピュータ・プログラム・プロダクトは、
アクティブ通信モード衝突回避プロシージャの一部として、遠隔近接場通信（ＮＦＣ）デバイスによって生成されたフィールドの存在に関するオペレーティングボリュームを感知することと、
ＮＦＣデバイスの前記オペレーティングボリュームの範囲内で感知されるフィールドがないと決定することと、
前記ＮＦＣデバイスに関するオペレーティングフィールドをオン状態に切り替える一部として、変調されないキャリアを起動することと、
衝突回避の閾値の時間の期間中、前記変調されないキャリアを保持することと、
のためのコードを備えるコンピュータ可読媒体、を備える。
［Ｃ２１］  Ｃ２０に記載のコンピュータ・プログラム・プロダクトであって、前記コンピュータ可読媒体は、
前記衝突回避の閾値の時間の期間が経過したという決定に基づいて、前記アクティブ通信モード衝突回避プロシージャを終了すること、
のためのコードをさらに備える。
［Ｃ２２］  Ｃ２０に記載のコンピュータ・プログラム・プロダクトであって、前記衝突回避の閾値は、前記変調されないキャリアのスイッチをオンすることとコマンドの送信を開始することとの間の期間である、
前記コンピュータ・プログラム・プロダクト。
［Ｃ２３］  Ｃ２０に記載のコンピュータ・プログラム・プロダクトであって、前記衝突回避の閾値は、拡張されたＮＦＣデジタルプロトコル仕様の一部として定義されたアクティブ無線周波数保護時間（ＴＡＲＦＧ）である、
前記コンピュータ・プログラム・プロダクト。
［Ｃ２４］  コンピュータ・プログラム・プロダクトであって、前記コンピュータ・プログラム・プロダクトは、
ＮＦＣデバイスのオペレーティングボリュームの範囲内に、遠隔近接場通信（ＮＦＣ）デバイスによって生成されたフィールドを検出することと、
アクティブ通信モードを用いて、前記遠隔ＮＦＣデバイスとのピア通信リンクを確立することと、
前記遠隔ＮＦＣデバイスとの前記ピア通信リンクが切断されるべきであると決定することと、
遠隔ＮＦＣデバイスが前記ピア通信リンクを保持している間切断されていたことを前記遠隔ＮＦＣデバイスに示す切断リクエストメッセージを前記遠隔ＮＦＣデバイスに送信することと、
のためのコードを備えるコンピュータ可読媒体を備える。
［Ｃ２５］  Ｃ２４に記載のコンピュータ・プログラム・プロダクトであって、前記コンピュータ可読媒体は、
前記遠隔ＮＦＣデバイスとの前記ピア通信リンクは、再開されるべきであると決定することと、
前記ピア通信リンクを再開するために、ウェイクアップリクエストメッセージを前記遠隔ＮＦＣデバイスに送信することと、
のためのコードをさらに備える。
［Ｃ２６］  Ｃ２５に記載のコンピュータ・プログラム・プロダクトであって、前記ＮＦＣデバイスおよび前記遠隔ＮＦＣデバイスは、ＮＦＣタイプのＦ  ＲＦ技術を用いるように構成され、ここにおいて、前記コンピュータ可読媒体は、
前記ピア通信リンクを介してメッセージを送信する前に、衝突解消を実行すること、
のためのコードをさらに備える。
［Ｃ２７］  Ｃ２６に記載のコンピュータ・プログラム・プロダクトであって、前記衝突解消は、最初の衝突解消プロシージャおよび次の衝突解消プロシージャのうちの少なくとも１つを含む、
前記コンピュータ・プログラム・プロダクト。
［Ｃ２８］  Ｃ２４に記載のコンピュータ・プログラム・プロダクトであって、前記コンピュータ可読媒体は、
無線周波数（ＲＦ）フィールドをオフすること、および第１の時間の期間待つことと、
前記ＲＦフィールドをオンすること、および第２の時間の期間待つことと、
最初のＲＦ衝突回避プロセスを実行することと、
のためのコードをさらに備える。
［Ｃ２９］  Ｃ２８に記載のコンピュータ・プログラム・プロダクトであって、前記第１の時間の期間は、拡張されたＮＦＣデジタルプロトコル仕様の一部として定義されたアクティブ通信モジュールＲＦオフタイム（ＴＡＣＭ，ＲＦｏｆｆ）であり、および前記第２の時間の期間は、前記拡張されたＮＦＣデジタルプロトコル仕様の一部として定義されたアクティブ通信モジュールＲＦオンタイム（ＴＡＣＭ，ＲＦｏｆｆ）である、
前記コンピュータ・プログラム・プロダクト。
［Ｃ３０］  Ｃ２４に記載のコンピュータ・プログラム・プロダクトであって、前記アクティブ通信モードは、前記ＮＦＣデバイスと前記遠隔ＮＦＣデバイスに、前記ピア通信リンクを保持することと関連する１つまたは複数の電力消費の負担のバランスをとることを許可する、
前記コンピュータ・プログラム・プロダクト。
［Ｃ３１］  Ｃ２４に記載のコンピュータ・プログラム・プロダクトであって、前記負担のうちの１つは、前記ピア通信リンクの一部としてＲＦキャリアを変調するための負担を含む、
前記コンピュータ・プログラム・プロダクト。
［Ｃ３２］  コンピュータ・プログラム・プロダクトであって、前記コンピュータ・プログラム・プロダクトは、
ＮＦＣデバイスとの通信リンク毎のアクティブ通信モードを確立した遠隔近接場通信（ＮＦＣ）デバイスから切断リクエストメッセージを受信することと、
ピア通信リンクを保持する間、前記ピア通信リンクをスリープ状態に変更すること、ここにおいて、前記スリープ状態は、前記ＮＦＣデバイスと前記遠隔ＮＦＣデバイスの間の通信を禁止する、と、
のためのコードを備えるコンピュータ可読媒体を備える。
［Ｃ３３］  Ｃ３２に記載のコンピュータ・プログラム・プロダクトであって、前記コンピュータ可読媒体は、
前記遠隔ＮＦＣデバイスから第１のウェイクアップリクエストメッセージを受信すること、および前記ピア通信リンクをアウェイク状態に変更すること、
のためのコードをさらに備える。
［Ｃ３４］  Ｃ３３に記載のコンピュータ・プログラム・プロダクトであって、前記コンピュータ可読媒体は、
ウェイクアップ応答を前記遠隔ＮＦＣデバイスに送信すること、
のためのコードをさらに備える。
［Ｃ３５］  Ｃ３３に記載のコンピュータ・プログラム・プロダクトであって、前記コンピュータ可読媒体は、
前記第１のウェイクアップリクエストメッセージの受信後に受信されたどんなウェイクアップリクエストメッセージをも無視すること、
のためのコードをさらに備える。
［Ｃ３６］  Ｃ３２に記載のコンピュータ・プログラム・プロダクトであって、前記コンピュータ可読媒体は、
前記スリープ状態にある間、前記遠隔ＮＦＣデバイスから、１つまた複数のメッセージを受信することと、
前記受信された１つまた複数のメッセージのどれもがウェイクアップメッセージではないと決定することと、
前記ＮＦＣデバイスが、前記１つまた複数の受信されたどのメッセージを処理することをも禁止するすることと、
のためのコードをさらに備える。
［Ｃ３７］  Ｃ３２に記載のコンピュータ・プログラム・プロダクトであって、前記アクティブ通信モードは、前記ＮＦＣデバイスと前記遠隔ＮＦＣデバイスに、前記ピア通信リンクを保持することと関連する１つまた複数の電力消費の負担のバランスをとることを許可する、
前記コンピュータ・プログラム・プロダクト。
［Ｃ３８］  Ｃ３７に記載のコンピュータ・プログラム・プロダクトであって、前記負担のうちの１つは、前記ピア通信リンクの一部としてＲＦキャリアを変調するための負担を含む、
前記コンピュータ・プログラム・プロダクト。
［Ｃ３９］  通信のための装置であって、前記装置は、
アクティブ通信モード衝突回避プロシージャの一部として、遠隔近接場通信（ＮＦＣ）デバイスによって生成されたフィールドの存在に関するオペレーティングボリュームを感知するための手段と、
ＮＦＣデバイスの前記オペレーティングボリュームの範囲内で感知されるフィールドがないと決定するための手段と、
前記ＮＦＣデバイスに関するオペレーティングフィールドをオン状態に切り替える一部として、変調されないキャリアを起動するための手段と、
衝突回避の閾値の時間の期間中、前記変調されないキャリアを保持するための手段と、
を備える。
［Ｃ４０］  Ｃ３９に記載の装置であって、前記装置は、
前記衝突回避の閾値の時間の期間が経過したという決定に基づいて、前記アクティブ通信モード衝突回避プロシージャを終了するための手段、をさらに備える。
［Ｃ４１］  Ｃ３９に記載の装置であって、前記衝突回避の時間の閾値は、前記変調されないキャリアのスイッチをオンすることとコマンドの送信を開始することとの間の期間である、
前記装置。
［Ｃ４２］  Ｃ３９に記載の装置であって、前記衝突回避の閾値は、拡張されたＮＦＣデジタルプロトコル仕様の一部として定義されたアクティブ無線周波数保護時間（ＴＡＲＦＧ）である、
前記装置。
［Ｃ４３］  通信のための装置であって、前記装置は、
ＮＦＣデバイスのオペレーティングボリュームの範囲内に、遠隔近接場通信（ＮＦＣ）デバイスによって生成された フィールドを検出するための手段と、
アクティブ通信モードを用いて、前記遠隔ＮＦＣデバイスとのピア通信リンクを確立するための手段と、
前記遠隔ＮＦＣデバイスとの前記ピア通信リンクが切断されるべきであると決定するための手段と、
遠隔ＮＦＣデバイスが前記ピア通信リンクを保持している間切断されていたことを前記遠隔ＮＦＣデバイスに示す切断リクエストメッセージを前記遠隔ＮＦＣデバイスに送信するための手段と、
を備える。
［Ｃ４４］  Ｃ４３に記載の装置であって、
前記決定するための手段は、前記遠隔ＮＦＣデバイスとの前記ピア通信リンクは、再開されるべきであると決定するようにさらに構成され、および
前記送信するための手段は、前記ピア通信リンクを再開するために、ウェイクアップリクエストメッセージを前記遠隔ＮＦＣデバイスに送信するようにさらに構成される、
前記装置。
［Ｃ４５］  Ｃ４４に記載の装置であって、前記ＮＦＣデバイスおよび前記遠隔ＮＦＣデバイスは、ＮＦＣタイプのＦ  ＲＦ技術を用いるように構成され、ここにおいて、前記決定するための手段は、
前記ピア通信リンクを介してメッセージを送信する前に、衝突解消を実行するようにさらに構成される、
前記装置。
［Ｃ４６］  Ｃ４５に記載の装置であって、前記衝突解消は、最初の衝突解消プロシージャおよび次の衝突解消プロシージャのうちの少なくとも１つを含む、
前記装置。
［Ｃ４７］  Ｃ４３の装置であって、前記遠隔ＮＦＣデバイスとの前記ピア通信リンクを確立するための前記手段は、
無線周波数（ＲＦ）フィールドをオフし、および第１の時間の期間待ち、
前記ＲＦフィールドをオンしおよび第２の時間の期間待し、
最初のＲＦ衝突回避プロセスを実行する、
ようにさらに構成される、
前記装置。
［Ｃ４８］  Ｃ４７に記載の装置であって、前記第１の時間の期間は、拡張されたＮＦＣデジタルプロトコル仕様の一部として定義されたアクティブ通信モジュールＲＦオフタイム（ＴＡＣＭ，ＲＦｏｆｆ）であり、および前記第２の時間の期間は、前記拡張されたＮＦＣデジタルプロトコル仕様の一部として定義されたアクティブ通信モジュールＲＦオンタイム（ＴＡＣＭ，ＲＦｏｆｆ）である、
前記装置。
［Ｃ４９］  Ｃ４３に記載の装置であって、前記アクティブ通信モードは、前記ＮＦＣデバイスと前記遠隔ＮＦＣデバイスに、前記ピア通信リンクを保持することと関連する１つまたは複数の電力消費の負担のバランスをとることを許可する、
前記装置。
［Ｃ５０］  Ｃ４３に記載の装置であって、前記負担のうちの１つは、前記ピア通信リンクの一部としてＲＦキャリアを変調するための負担を含む、
前記装置。
［Ｃ５１］  通信のための装置であって、前記装置は、
ＮＦＣデバイスとの通信リンク毎のアクティブ通信モードを確立した遠隔近接場通信（ＮＦＣ）デバイスから切断リクエストメッセージを受信するための手段と、
ピア通信リンクを保持する間、ピア通信リンクをスリープ状態に変更するための手段、ここにおいて、前記スリープ状態は、前記ＮＦＣデバイスと前記遠隔ＮＦＣデバイスの間の通信を禁止する、と、
を備える。
［Ｃ５２］  Ｃ５１に記載の装置であって、前記受信するための手段は、前記遠隔ＮＦＣデバイスから第１のウェイクアップリクエストメッセージを受信するようにさらに構成され、および
前記変更するための手段は、前記ピア通信リンクをアウェイク状態に変更するようにさらに構成される、
前記装置。
［Ｃ５３］  Ｃ５２に記載の装置であって、前記装置は、
ウェイクアップ応答を前記遠隔ＮＦＣデバイスに送信するための手段、
をさらに備える。
［Ｃ５４］  Ｃ５２に記載の装置であって、前記変更するための手段は、
前記第１のウェイクアップリクエストメッセージの受信後に受信されたどんなウェイクアップリクエストメッセージも無視する、
ようにさらに構成される、
前記装置。
［Ｃ５５］  Ｃ５１に記載の装置であって、
前記変更するための手段は、前記スリープ状態にある間、前記遠隔ＮＦＣデバイスから、１つまた複数のメッセージを受信するようにさらに構成される、および
前記変更するための手段は、
前記受信された１つまた複数のメッセージのどれもがウェイクアップメッセージではないと決定し、
前記ＮＦＣデバイスが、前記１つまた複数の受信されたどのメッセージを処理することも禁止する、
ようにさらに構成される、
前記装置。
［Ｃ５６］  Ｃ５１に記載の装置であって、前記アクティブ通信モードは、前記ＮＦＣデバイスと前記遠隔ＮＦＣデバイスに、前記ピア通信リンクを保持することと関連する１つまた複数の電力消費の負担のバランスをとることを許可する、
前記装置。
［Ｃ５７］  Ｃ１８に記載の装置であって、前記負担のうちの１つは、前記ピア通信リンクの一部としてＲＦキャリアを変調するための負担を含む、
前記装置。
［Ｃ５８］  ＮＦＣ通信のための装置であって、前記装置は、
トランシーバと、
メモリと、
前記メモリに結合されるプロセッサと、
アクティブ通信モードモジュール、
を備え、
前記アクティブ通信モードモジュールは、前記メモリまたは前記プロセッサのうちの少なくとも１つに結合され、および、前記アクティブ通信モードモジュールは、
アクティブ通信モード衝突回避プロシージャの一部として、遠隔近接場通信（ＮＦＣ）デバイスによって生成されたフィールドの存在に関するオペレーティングボリュームを感知し、
ＮＦＣデバイスの前記オペレーティングボリュームの範囲内で感知されるフィールドがないと決定し、
前記ＮＦＣデバイスに関するオペレーティングフィールドをオン状態に切り替える一部として、変調されないキャリアを起動し、
衝突回避の閾値の時間の期間中、前記変調されないキャリアを保持する、
ように構成される、前記装置。
［Ｃ５９］  Ｃ５８に記載の装置であって、前記アクティブ通信モードモジュールは、
前記衝突回避の閾値の時間の期間が経過したという決定に基づいて、前記アクティブ通信モード衝突回避プロシージャを終了するようにさらに構成される、
前記装置。
［Ｃ６０］  Ｃ５８に記載の装置であって、前記衝突回避の閾値は、前記変調されないキャリアのスイッチをオンすることとコマンドの送信を開始することとの間の期間である、
前記装置。
［Ｃ６１］  Ｃ５８に記載の装置であって、前記衝突回避の閾値は、拡張されたＮＦＣデジタルプロトコル仕様の一部として定義されたアクティブ無線周波数保護時間（ＴＡＲＦＧ）である、
前記装置。
［Ｃ６２］  ＮＦＣ通信のための装置であって、前記装置は、
トランシーバと、
メモリと、
前記メモリに結合されるプロセッサと、
アクティブ通信モードモジュール、
を備え、
前記アクティブ通信モードモジュールは、前記メモリまたは前記プロセッサのうちの少なくとも１つに結合され、および、前記アクティブ通信モードモジュールは、
ＮＦＣデバイスのオペレーティングボリュームの範囲内に、遠隔近接場通信（ＮＦＣ）デバイスによって生成されたフィールドを検出し、
アクティブ通信モードを用いて、前記遠隔ＮＦＣデバイスとのピア通信リンクを確立し、
前記遠隔ＮＦＣデバイスとの前記ピア通信リンクが切断されるべきであると決定する、
するように構成され、および
前記遠隔ＮＦＣデバイスが、前記ピア通信リンクを保持している間切断されていたことを前記遠隔ＮＦＣデバイスに示す切断リクエストメッセージを前記遠隔ＮＦＣデバイスに送信する、
ように構成される、前記装置。
［Ｃ６３］  Ｃ６２に記載の装置であって、前記アクティブ通信モードモジュールは、
前記遠隔ＮＦＣデバイスとの前記ピア通信リンクは、再開されるべきであると決定するようにさらに構成され、および
前記トランシーバは、前記ピア通信リンクを再開するために、ウェイクアップリクエストメッセージを前記遠隔ＮＦＣデバイスに送信するようにさらに構成される、
前記装置。
［Ｃ６４］  Ｃ６３に記載の装置であって、前記ＮＦＣデバイスおよび前記遠隔ＮＦＣデバイスは、ＮＦＣタイプのＦ  ＲＦ技術を用いるように構成され、ここにおいて、前記アクティブ通信モードモジュールは、
前記ピア通信リンクを介してメッセージを送信する前に、衝突解消を実行する、
ようにさらに構成される、
前記装置。
［Ｃ６５］  Ｃ６４に記載の装置であって、前記衝突解消は、最初の衝突解消プロシージャおよび次の衝突解消プロシージャのうちの少なくとも１つを含む、前記装置。
［Ｃ６６］  Ｃ６２に記載の装置であって、前記アクティブ通信モードモジュールは、
無線周波数（ＲＦ）フィールドをオフし、および第１の時間の期間待ち、
前記ＲＦフィールドをオンしおよび第２の時間の期間待し、
最初のＲＦ衝突回避プロセスを実行する、
ようにさらに構成される、
前記装置。
［Ｃ６７］  Ｃ６６に記載の装置であって、前記第１の時間の期間は、拡張されたＮＦＣデジタルプロトコル仕様の一部として定義されたアクティブ通信モジュールＲＦオフタイム（ＴＡＣＭ，ＲＦｏｆｆ）であり、および前記第２の時間の期間は、前記拡張されたＮＦＣデジタルプロトコル仕様の一部として定義されたアクティブ通信モジュールＲＦオンタイム（ＴＡＣＭ，ＲＦｏｆｆ）である、
前記装置。
［Ｃ６８］  Ｃ６２に記載の装置であって、前記アクティブ通信モードは、前記ＮＦＣデバイスと前記遠隔ＮＦＣデバイスに、前記ピア通信リンクを保持することと関連する１つまたは複数の電力消費の負担のバランスをとることを許可する、
前記装置。
［Ｃ６９］  Ｃ６２に記載の装置であって、前記負担のうちの１つは、前記ピア通信リンクの一部としてＲＦキャリアを変調するための負担を含む、前記装置。
［Ｃ７０］  ＮＦＣ通信のための装置であって、前記装置は、
トランシーバと、
メモリと、
前記メモリに結合されるプロセッサと、
前記メモリまたは前記プロセッサのうちの少なくとも１つに結合されアクティブ通信モードモジュール、
を備え、
ここにおいて、前記トランシーバは、ＮＦＣデバイスとの通信リンク毎のアクティブ通信モードを確立した遠隔近接場通信（ＮＦＣ）デバイスから切断リクエストメッセージを受信するように構成され、
ここにおいて、前記アクティブ通信モードモジュールは、前記ピア通信リンクを保持する間、ピア通信リンクをスリープ状態に変更するように構成され、ここにおいて、前記スリープ状態は、前記ＮＦＣデバイスと前記遠隔ＮＦＣデバイスの間の通信を禁止する、
前記装置。
［Ｃ７１］  Ｃ７０に記載の装置であって、前記トランシーバは、前記遠隔ＮＦＣデバイスから第１のウェイクアップリクエストメッセージを受信するように構成され、および
前記アクティブ通信モードモジュールは、前記ピア通信リンクをアウェイク状態に変更するように構成される、
前記装置。
［Ｃ７２］  Ｃ７１に記載の装置であって、前記トランシーバは、ウェイクアップ応答を前記遠隔ＮＦＣデバイスに送信するように構成される、前記装置。
［Ｃ７３］  Ｃ７１に記載の装置であって、前記アクティブ通信モードモジュールは、
前記第１のウェイクアップリクエストメッセージの受け取り後に受信されたどんなウェイクアップリクエストメッセージも無視する、  ように構成される、
前記装置。
［Ｃ７４］  Ｃ７０に記載の装置であって、前記トランシーバは、前記スリープ状態にある間、前記遠隔ＮＦＣデバイスから、１つまた複数のメッセージを受信するように構成され、
ここにおいて、前記アクティブ通信モードモジュールは、
前記受信された１つまた複数のメッセージのどれもがウェイクアップメッセージではないと決定し、および
前記ＮＦＣデバイスが、前記１つまた複数の受信されたどのメッセージを処理することをも禁止する、
ように構成される、前記装置。
［Ｃ７５］  Ｃ７０に記載の装置であって、前記アクティブ通信モードは、前記ＮＦＣデバイスと前記遠隔ＮＦＣデバイスに、前記ピア通信リンクを保持することと関連する１つまた複数の電力消費の負担のバランスをとることを許可する、前記装置。
［Ｃ７６］  Ｃ７５に記載の装置であって、前記負担のうちの１つは、前記ピア通信リンクの一部としてＲＦキャリアを変調するための負担を含む、前記装置。